(57)【特許請求の範囲】
【請求項１】
通信回線網に中継器を介して接続するごとに、当該中継器との間に形成される回線の電流値及び電圧値を検出し、検出された電流値及び電圧値が、規格を満たす範囲内で電流値と電圧値の関係が定められた特性カーブ上の電流値及び電圧値に一致するように、前記回線のインピーダンスを調整する回線調整部と、
前記回線調整部により検出された電流値が閾値以上である場合、前記回線における消費電力が小さくなるように、前記規格を満たす範囲内において前記特性カーブを変更する制御部と、
を備えることを特徴とする通信装置。
【請求項２】
前記回線調整部は、前記制御部により特性カーブが変更された場合は変更後の特性カーブにより前記インピーダンスの調整を行い、前記特性カーブが変更されなかった場合は元の特性カーブにより前記インピーダンスの調整を行うことを特徴とする請求項１に記載の通信装置。
【請求項３】
前記制御部は、前記通信回線網に前記中継器を介して接続するごとに、前記検出された電流値を閾値と比較して閾値以上である場合に前記特性カーブの変更を行う処理を実行し、
前記回線調整部は、前記処理が実行されるごとに、前記特性カーブが変更された場合は変更後の特性カーブを、変更されなかった場合は元の特性カーブを、前記インピーダンスの調整に用いることを特徴とする請求項１又は２に記載の通信装置。
【請求項４】
前記制御部は、初回の接続時に前記回線調整部により検出された電流値を前記閾値と比較し、検出された電流値が前記閾値以上であれば、前記特性カーブの変更を行う処理を実行し、
前記回線調整部は、前記処理において、前記特性カーブが変更された場合は変更後の特性カーブを、変更されなかった場合は元の特性カーブを、初回以降の接続時に行う前記インピーダンスの調整に用いることを特徴とする請求項１又は２に記載の通信装置。
【請求項５】
前記制御部は、各国の規格又は前記回線に使用されている半導体デバイスの仕様に応じた閾値を、前記検出された電流値との比較に用いることを特徴とする請求項１〜４のいずれか一項に記載の通信装置。
【請求項６】
通信回線網に中継器を介して接続するごとに、当該中継器との間に形成される回線の電流値及び電圧値を検出する工程と、
前記検出された電流値が閾値以上である場合、規格を満たす範囲内において電流値と電圧値の関係が定められた特性カーブを、前記回線における消費電力が小さくなるように、前記規格を満たす範囲内において変更する工程と、
前記特性カーブが変更された場合、前記検出された電流値及び電圧値が、変更後の特性カーブ上の電流値及び電圧値に一致するように、インピーダンスを調整する工程と、
を含むことを特徴とする通信制御方法。
【発明の詳細な説明】
【技術分野】
【０００１】
本発明は、通信装置及び通信制御方法に関する。
【背景技術】
【０００２】
電話回線網に接続するファクシミリ装置、電話機等の通信装置に対しては、一定の通信品質を維持するため、接続時に交換機と通信装置との間に流れる電流と電圧の適性範囲が規格として定められている。通信装置は、規格を満たす範囲内において電流値と電圧値の関係が定められた特性カーブを保持し、交換機との間に形成された回線の電流値と電圧値が当該特性カーブ上の電流値と電圧値に一致するように調整している。
【０００３】
電流値及び電圧値の規格は国によって異なるため、各国の通信仕様に対応するためには、国ごとに電流値及び電圧値を調整する制御回路が必要になる。このような複数の制御回路の搭載を避けるため、各国の規格に対応した特性カーブにより電流値及び電圧値を調整する半導体データアクセス装置（ＤＡＡ；Data Access Arrangement）が利用されている（例えば、特許文献１参照）。
【先行技術文献】
【特許文献】
【０００４】
【特許文献１】特開２００６−１９１４９５号公報
【発明の概要】
【発明が解決しようとする課題】
【０００５】
通信装置のなかには、従来の電話回線網だけでなく、ターミナルアダプターを介してＩＰ（Internet Protocol）回線網経由で通信できるものが増えている。
ターミナルアダプターは、交換機のように電話局によって設置される中継器ではなく、ユーザーによって設置される市販の中継器である。
【０００６】
通信装置に流れる電流の大きさは、中継器の種類、通信装置から中継器までの回線の長さ等によって変動するため、通信装置が接続する中継器が多様化している現状においては、実際に中継器に接続するまでどの程度の電流値で電流が流れるかを予測することは難しい。電流値の大きさによっては、通信装置のディスクリート部品が発熱して、通信の不具合が発生するか、故障する可能性がある。
【０００７】
本発明の課題は、中継器に接続した際の発熱を抑えて、多種多様な中継器に対応できるようにすることである。
【課題を解決するための手段】
【０００８】
請求項１に記載の発明によれば、
通信回線網に中継器を介して接続するごとに、当該中継器との間に形成される回線の電流値及び電圧値を検出し、検出された電流値及び電圧値が、規格を満たす範囲内で電流値と電圧値の関係が定められた特性カーブ上の電流値及び電圧値に一致するように、前記回線のインピーダンスを調整する回線調整部と、
前記回線調整部により検出された電流値が閾値以上である場合、前記回線における消費電力が小さくなるように、前記規格を満たす範囲内において前記特性カーブを変更する制御部と、
を備えることを特徴とする通信装置が提供される。
【０００９】
請求項２に記載の発明によれば、
前記回線調整部は、前記制御部により特性カーブが変更された場合は変更後の特性カーブにより前記インピーダンスの調整を行い、前記特性カーブが変更されなかった場合は元の特性カーブにより前記インピーダンスの調整を行うことを特徴とする請求項１に記載の通信装置が提供される。
【００１０】
請求項３に記載の発明によれば、
前記制御部は、前記通信回線網に前記中継器を介して接続するごとに、前記検出された電流値を閾値と比較して閾値以上である場合に前記特性カーブの変更を行う処理を実行し、
前記回線調整部は、前記処理が実行されるごとに、前記特性カーブが変更された場合は変更後の特性カーブを、変更されなかった場合は元の特性カーブを、前記インピーダンスの調整に用いることを特徴とする請求項１又は２に記載の通信装置が提供される。
【００１１】
請求項４に記載の発明によれば、
前記制御部は、初回の接続時に前記回線調整部により検出された電流値を前記閾値と比較し、検出された電流値が前記閾値以上であれば、前記特性カーブの変更を行う処理を実行し、
前記回線調整部は、前記処理において、前記特性カーブが変更された場合は変更後の特性カーブを、変更されなかった場合は元の特性カーブを、初回以降の接続時に行う前記インピーダンスの調整に用いることを特徴とする請求項１又は２に記載の通信装置が提供される。
【００１２】
請求項５に記載の発明によれば、
前記制御部は、各国の規格又は前記回線に使用されている半導体デバイスの仕様に応じた閾値を、前記検出された電流値との比較に用いることを特徴とする請求項１〜４のいずれか一項に記載の通信装置が提供される。
【００１３】
請求項６に記載の発明によれば、
通信回線網に中継器を介して接続するごとに、当該中継器との間に形成される回線の電流値及び電圧値を検出する工程と、
前記検出された電流値が閾値以上である場合、規格を満たす範囲内において電流値と電圧値の関係が定められた特性カーブを、前記回線における消費電力が小さくなるように、前記規格を満たす範囲内において変更する工程と、
前記特性カーブが変更された場合、前記検出された電流値及び電圧値が、変更後の特性カーブ上の電流値及び電圧値に一致するように、インピーダンスを調整する工程と、
を含むことを特徴とする通信制御方法が提供される。
【発明の効果】
【００１４】
本発明によれば、変更後の特性カーブにより回線の消費電力が小さくなるようにインピーダンスを調整することができ、中継器に接続した際の通信装置内での発熱を抑えることができる。中継器との接続時に実際に流れる電流の電流値に応じて特性カーブを変更するため、どのような種類の中継器が接続された場合でも消費電力が小さくなるようにインピーダンスの調整を行うことができ、多種多様な中継器に対応することができる。
【図面の簡単な説明】
【００１５】
【図１】電話回線網及びＩＰ回線網に接続可能な、本実施の形態に係る２つの通信装置を示す図である。
【図２】通信装置の構成を機能ごとに表すブロック図である。
【図３】図２の通信部の概略構成を表す図である。
【図４】通信装置が通信を開始する際の処理手順を示すフローチャートである。
【図５】特性カーブの一例を示すグラフである。
【図６】変更後の特性カーブの一例を示すグラフである。
【図７】初回の接続時のインピーダンスの調整に使用された特性カーブを、次回以降の接続時にも継続して使用する場合の通信装置の処理手順を示すフローチャートである。
【発明を実施するための形態】
【００１６】
以下、本発明の通信装置及び通信制御方法の実施の形態について、図面を参照して説明する。
【００１７】
図１は、本実施の形態に係る２つの通信装置１を示している。
２つの通信装置１は、図１に示すように、電話回線網Ｎ１及びＩＰ回線網Ｎ２に接続することができ、電話回線網Ｎ１及びＩＰ回線網Ｎ２のいずれかの通信回線網を使用して互いに通信する。
各通信装置１は、通信回線網が電話回線網Ｎ１である場合には交換機２を中継器として、通信回線網がＩＰ回線網Ｎ２である場合にはターミナルアダプター３を中継器として、中継器を介してそれぞれの通信回線網に接続する。
【００１８】
図２は、通信装置１の構成を機能ごとに表すブロック図である。
通信装置１は、図２に示すように、制御部１１、記憶部１２、表示部１３、操作部１４、通信部１５、読取部１６、画像処理部１７、画像メモリー１８及び画像形成部１９を備えている。
通信装置１には外付け電話機２０を接続することができ、通信装置１は外付け電話機２０を用いた通話のための通信を行うこともできる。
【００１９】
制御部１１は、記憶部１２に記憶されたプログラムを読み出して実行することにより、通信装置１の各部を制御する。制御部１１は、ＣＰＵ（Central Processing Unit）、ＲＡＭ（Random Access Memory）等を備えて構成されている。
例えば、制御部１１は、ファクシミリ通信により画像データを送信する際、読取部１６により原稿を読み取らせて画像データを生成させ、画像処理部１７により当該画像データを画像処理させて、画像メモリー１８に保存させる。そして、制御部１１は、画像メモリー１８から画像データを読み出して、通信部１５により指定された宛先へ画像データを送信させる。一方、ファクシミリ通信により画像データを受信した際、通信部１５により受信した画像データを制御部１１は画像メモリー１８に保存する。ユーザーからの指示に応じて、制御部１１は画像形成部１９により、画像メモリー１８に保存された画像データに基づく画像を用紙上に形成させる。
【００２０】
制御部１１は、通信回線網に中継器を介して接続した際に中継器との間に形成される回線の電流値が閾値以上である場合、回線における消費電力が小さくなるように、回線のインピーダンスの調整に用いられる特性カーブを、規格を満たす範囲内において変更する。特性カーブとは、各国の規格を満たす範囲内で電流値と電圧値の関係が定められた、電流電圧特性を示すカーブをいう。回線の電流電圧特性に対する規格は国ごとに異なるため、特性カーブは国ごとに用意されている。
【００２１】
記憶部１２は、制御部１１により読み取り可能なプログラム、データ等を記憶している。記憶部１２としては、ハードディスク等の記憶媒体を用いることができる。
また、記憶部１２は、複数の国の規格に応じてそれぞれ用意された複数の特性カーブを記憶している。記憶部１２は、制御部１１により特性カーブが変更された場合、変更前の元の特性カーブとともに、変更後の特性カーブを記憶する。
【００２２】
表示部１３は、制御部１１からの指示に応じて、操作画面等を表示する。表示部１３としては、液晶ディスプレイ、有機ＥＬ（Electro Luminescence）ディスプレイ等を用いることができる。
【００２３】
操作部１４は、操作キー、表示部１３と一体に構成されたタッチパネル等を備え、これらの操作に応じた操作信号を生成して、制御部１１に出力する。
【００２４】
通信部１５は、電話回線網Ｎ１に交換機２を介して接続するか、又はＩＰ回線網Ｎ２にターミナルアダプター３を介して接続し、電話回線網Ｎ１又はＩＰ回線網Ｎ２経由で他の通信装置１と画像データの送信及び受信を行う。
なお、通信装置１に外付け電話機２０が接続された場合は、通信部１５は他の通信装置１と音声データの送信及び受信を行う。
【００２５】
図３は、通信部１５の概略構成を示している。
通信部１５は、図３に示すように、制御部３１、モデム３２、絶縁トランス３３、半導体ＤＡＡ（Data Access Arrangement）４０、ディスクリート回路５１、トランジスター５２及び整流器５３を備えている。
また、通信部１５は、電話回線網Ｎ１又はＩＰ回線網Ｎ２に接続するための２つのライン端子Ｌ１及びＬ２と、外付け電話機２０に接続するための２つのライン端子Ｔ１及びＴ２とを備えている。
【００２６】
制御部３１は、画像データを送信又は受信するため、通信部１５の各部を制御する。制御部３１は、ＣＰＵ、ＲＡＭ等により構成することができる。
制御部３１は、他の通信装置１に送信する画像データをモデム３２へ出力する。また、制御部３１は、他の通信装置１から受信し、モデム３２により復調された画像データを制御部１１に出力する。
【００２７】
モデム３２は、制御部３１から入力された画像データを変調して、半導体ＤＡＡ４０へ出力する。また、モデム３２は、他の通信装置１から受信した画像データが半導体ＤＡＡ４０から入力されると、当該画像データを復調して制御部３１に出力する。
【００２８】
絶縁トランス３３は、半導体ＤＡＡ４０側を一次側（Primary）とし、モデム３２側を二次側（Secondary）として、モデム３２と半導体ＤＡＡ４０間を絶縁する。
【００２９】
半導体ＤＡＡ４０は、電話回線網Ｎ１又はＩＰ回線網Ｎ２との接続状態の切り替え、接続時に交換機２又はターミナルアダプター３との間に形成される回線の電流値及び電圧値の調整等を行う回線調整部である。
半導体ＤＡＡ４０の構成を機能ごとに表すと、図３に示すように、半導体ＤＡＡ４０は、電流検出部４１、接続切替部４２、インピーダンス調整部４３等を備えている。
【００３０】
電流検出部４１は、電話回線網Ｎ１又はＩＰ回線網Ｎ２に接続するごとに、交換機２又はターミナルアダプター３との間で形成される回線の電流値及び電圧値、すなわちライン端子Ｌ１とライン端子Ｌ２間の電流値及び電圧値をそれぞれ検出する。
【００３１】
接続切替部４２は、電話回線網Ｎ１又はＩＰ回線網Ｎ２に接続するオフフック状態と、接続を切断するオンフック状態と、を切り替える。
具体的には、オンフック状態からオフフック状態へ切り替える場合、トランジスター５２のベース端子に電流を流すことにより、トランジスター５２のコレクター端子とエミッター端子間を導通させる。ライン端子Ｌ１とライン端子Ｌ２間には交換機２又はターミナルアダプター３から電圧が印加されているため、導通によってライン端子Ｌ１とライン端子Ｌ２間に電流が流れ、交換機２又はターミナルアダプター３との間に回線が形成される。
【００３２】
また、オフフック状態をオンフック状態に切り替える場合、トランジスター５２のベース端子への電流の供給を停止することにより、トランジスター５２のコレクター端子とエミッター端子間を不通とする。これにより、ライン端子Ｌ１とライン端子Ｌ２間の電流の流れが止まり、交換機２又はターミナルアダプター３との間に形成された回線が切断される。
【００３３】
インピーダンス調整部４３は、電流検出部４１により検出された電流値と電圧値が規格を満たすように、回線のインピーダンスを調整する。
具体的には、インピーダンス調整部４３は、電流検出部４１により検出された電流値及び電圧値が、特性カーブ上の電流値及び電圧値に一致するように、インピーダンスを調整する。インピーダンスは、トランジスター５２のベース端子のベース電位を変化させることにより、調整することができる。
【００３４】
ディスクリート回路５１は、ライン端子Ｌ１及びＬ２と半導体ＤＡＡ４０との間において、抵抗、コンデンサー、トランス等のディスクリートにより構成された半導体デバイスである。
【００３５】
トランジスター５２は、ベース端子が半導体ＤＡＡ４０に接続され、コレクター端子が整流器５３に接続され、エミッター端子が接地されている。
【００３６】
整流器５３は、ライン端子Ｌ１とライン端子Ｌ２間に流れる電流の極性を一方向に整流する。
【００３７】
読取部１６は、ユーザーによりセットされた原稿の画像を読み取り、ビットマップ形式の画像データを生成する。読取部１６は、例えばスキャナー、スキャナーに用紙を１枚ずつ送り出す原稿自動送り装置等を備えて構成されている。
【００３８】
画像処理部１７は、読取部１６により生成された画像データに各種画像処理を施す。画像処理としては、例えば拡大又は縮小処理、ページ番号の追加、ページの割り付け、階調補正処理等が挙げられる。
【００３９】
画像メモリー１８は、画像処理部１７により画像処理された画像データを保存する。
画像メモリー１８としては、ＤＲＡＭ（Dynamic RAM）等の記憶媒体を用いることができる。
【００４０】
画像形成部１９は、画像データに応じて用紙上に画像を形成する。画像形成部１９の画像形成方法としては特に限定されず、電子写真方式であってもよいし、インクジェット方式であってもよい。
【００４１】
図４は、上記通信装置１が通信を開始する際の処理手順を示している。
図４に示すように、操作部１４を介してユーザーにより通信開始が指示されると（ステップＳ１；Ｙ）、制御部１１は電話回線網Ｎ１又はＩＰ回線網Ｎ２への接続を指示する。
【００４２】
通信部１５では、半導体ＤＡＡ４０がオンフック状態をオフフック状態に切り替える（ステップＳ２）。半導体ＤＡＡ４０は、オフフック状態に切り替えたことによって、交換機２又はターミナルアダプター３との間に形成された回線の電流値及び電圧値を検出する（ステップＳ３）。
【００４３】
制御部１１は、半導体ＤＡＡ４０により検出された電流値を取得し、閾値と比較する（ステップＳ４）。
このとき、制御部１１は、回線の電流値及び電圧値に対する各国の規格、通信部１５において回線に使用されている半導体デバイス、例えば半導体ＤＡＡ４０、ディスクリート回路５１等の仕様等に応じた閾値を、電流値との比較に用いることが好ましい。
【００４４】
例えば、Ａ国及びＢ国の規格を満たす電流値の範囲がそれぞれ２０〜１２０ｍＡ及び４０〜１６０ｍＡである場合、制御部１１は、通信装置１が設置された国がＡ国であれば、Ａ国の電流値の上限である１２０ｍＡを閾値として使用することができる。一方、Ｂ国であればＢ国の電流値の上限である１６０ｍＡを閾値として使用することができる。
また、通信部１５のディスクリート回路５１の耐熱性が低い場合は１００ｍＡを閾値とし、耐熱性が高い場合は１５０ｍＡを閾値として用いることもできる。
検出された電流値が閾値を超える場合、消費電力が低下するようにインピーダンスの調整が行われるが、上述のようにして比較に用いる閾値を選択することにより、消費電力を低下させるインピーダンスの調整を行うか否かを、各国の規格、半導体デバイスの性質等に応じて決定することができる。
【００４５】
検出された電流値が閾値以上ではない場合（ステップＳ４；Ｎ）、制御部１１は通信装置１が配置された国に対応する特性カーブを記憶部１２から読み出して、通信部１５へ出力する。通信部１５では、半導体ＤＡＡ４０がオフフック状態をオンフック状態に切り替えた（ステップＳ５）後、制御部１１から出力された特性カーブを用いてインピーダンスを調整する（ステップＳ６）。調整後は、ステップＳ１１の処理に移行する。
【００４６】
図５は、一例としての特性カーブＫを示している。
上述したように、一定の通信品質を維持するため、電話回線網Ｎ１又はＩＰ回線網Ｎ２に接続するための回線の電流値と電圧値の適性範囲は国ごとに規格化されている。図５において２つの破線で囲まれた範囲が規格を満たす範囲を示している。この規格を満たす範囲内において、通信装置１内で目標とする電流値と電圧値の関係が特性カーブＫとして定められている。実際に検出される電流値と電圧値が、この特性カーブＫ上の電流値と電圧値に一致するようにインピーダンスを調整することによって、通信装置１の設置環境によって変動する電流値及び電圧値を、規格を満たすように制御することができる。
【００４７】
具体的には、半導体ＤＡＡ４０により、インピーダンスを変更するごとに電流値及び電圧値を検出し、特性カーブＫ上の電流値及び電圧値と一致するか、近接するまで、インピーダンスを変更する。
例えば、図５に示すように、点Ｐ１に該当する電流値及び電圧値が検出された場合、電流値及び電圧値を下げるため、インピーダンスを増加させる。その後、点Ｐ２に該当する電流値及び電圧値が検出されると、電流値及び電圧値を上げるため、インピーダンスを減少させる。その結果、特性カーブＫ上の電流値と電圧値との差が閾値以下である点Ｐ３に該当する電流値及び電圧値が検出されると、インピーダンスの調整を終了する。
【００４８】
一方、検出された電流値が閾値以上である場合（ステップＳ４；Ｙ）、制御部１１は通信装置１が配置された国に対応する特性カーブを記憶部１２から読み出す。そして、制御部１１は、回線における消費電力が小さくなるように、当該国の規格を満たす範囲内において特性カーブを変更する（ステップＳ７）。
例えば、閾値が１２０ｍＡであるのに対し、検出された電流値が１６０ｍＡであったため、図５に示す特性カーブＫを変更する場合、制御部１１は特性カーブＫの電流値１６０ｍＡに対応する電圧値Ｅ１（Ｖ）を、図６に示すように規格を満たす範囲内で下げ、電圧値Ｅ２（Ｖ）に変更する。変更後の電圧値Ｅ２（Ｖ）は、規格を満たす範囲の下限値Ｅ３（Ｖ）に近いほど消費電力が減り、発熱を抑えることができるため、好ましい。また、変更後の電圧値Ｅ２（Ｖ）に応じてインピーダンスが調整された後、回線を流れる電流に変動があっても電圧値が下限値Ｅ３（Ｖ）を下回らないように、変更後の電圧値Ｅ２（Ｖ）は下限値Ｅ３（Ｖ）より大きいことが好ましい。
【００４９】
制御部１１は、変更後の特性カーブを記憶部１２に保存する（ステップＳ８）。また、制御部１１は、変更後の特性カーブを通信部１５に出力する。
通信部１５では、半導体ＤＡＡ４０がオフフック状態をオンフック状態に切り替え（ステップＳ９）、制御部１１から出力された変更後の特性カーブを用いてインピーダンスを調整する（ステップＳ１０）。
図６に示す変更後の特性カーブＫの場合、検出された電流値１６０ｍＡに対応する電圧値Ｅ１（Ｖ）は電圧値Ｅ２（Ｖ）に変更されているので、半導体ＤＡＡ４０は電流値が１６０ｍＡ、電圧値がＥ２（Ｖ）となるようにインピーダンスを調整する。
【００５０】
インピーダンスを調整後、半導体ＤＡＡ４０はオンフック状態からオフフック状態へ切り替える（ステップＳ１１）。
オフフック状態に切り替わると、制御部１１は送信する画像データを画像メモリー１８から通信部１５へ転送して、通信部１５により画像データを送信する通信動作を開始させる（ステップＳ１２）。
【００５１】
通信装置１の設置環境が頻繁に変わり、その都度異なる種類の中継器に接続することが多い場合、通信装置１は上述した処理手順を、通信開始の指示があり、電話回線網Ｎ１又はＩＰ回線網Ｎ２に接続するごとに実行することにより、新たに接続する中継器に合わせて特性カーブを変更することができる。これにより、多種多様な中継器に接続しても発熱が抑えられるようにインピーダンスを調整することができる。
【００５２】
一方、通信装置１の設置環境が変わらず、接続する中継器が固定されている場合、通信装置１は、初回の接続時のみ上述した処理手順を実行し、次回以降の接続時には次の処理手順を実行することもできる。
【００５３】
図７は、初回の接続時に図４に示す処理手順を実行した後、次回以降の接続時に通信装置１が実行する処理手順を示している。
図７に示すように、操作部１４を介してユーザーにより通信開始が指示されると（ステップＳ２１；Ｙ）、制御部１１は通信部１５に電話回線網Ｎ１又はＩＰ回線網Ｎ２への接続を指示する。
【００５４】
通信部１５では、半導体ＤＡＡ４０がオンフック状態をオフフック状態に切り替える（ステップＳ２２）。半導体ＤＡＡ４０は、オフフック状態に切り替えたことによって交換機２又はターミナルアダプター３との間に形成された回線の電流値及び電圧値を検出すると（ステップＳ２３）、再度オンフック状態へ切り替える（ステップＳ２４）。
【００５５】
オンフック状態に切り替わると、制御部１１は、記憶部１２に保存された変更後の特性カーブがある場合（ステップＳ２５；Ｙ）、当該変更後の特性カーブを読み出して通信部１５に出力する。一方、記憶部１２に保存された変更後の特性カーブがない場合（ステップＳ２５；Ｎ）、制御部１１は変更されていない元の特性カーブを記憶部１２から読み出して通信部１５に出力する。
【００５６】
変更後の特性カーブが通信部１５に出力された場合、半導体ＤＡＡ４０は当該変更後の特性カーブを用いてインピーダンスを調整する（ステップＳ２６）。一方、元の特性カーブが通信部１５に出力された場合、半導体ＤＡＡ４０は当該元の特性カーブを用いてインピーダンスを調整する（ステップＳ２７）。  
【００５７】
インピーダンスの調整を終えると、半導体ＤＡＡ４０はオンフック状態からオフフック状態へ切り替える（ステップＳ２８）。
オフフック状態に切り替わると、制御部１１は送信する画像データを画像メモリー１８から通信部１５へ転送して、通信部１５により画像データを送信する通信動作を開始させる（ステップＳ２９）。
【００５８】
以上のように、本実施の形態の通信装置１は、通信回線網に中継器を介して接続するごとに、当該中継器との間に形成される回線の電流値及び電圧値を検出し、検出された電流値及び電圧値が、規格を満たす範囲内で電流値と電圧値の関係が定められた特性カーブ上の電流値及び電圧値に一致するように、上記回線のインピーダンスを調整する半導体ＤＡＡ４０と、半導体ＤＡＡ４０により検出された電流値が閾値以上である場合、上記回線における消費電力が小さくなるように、上記規格を満たす範囲内において上記特性カーブを変更する制御部１１と、を備える。
【００５９】
通信装置１によれば、変更後の特性カーブにより回線の消費電力が小さくなるようにインピーダンスを調整することができ、中継器に接続した際の通信装置内での発熱を抑えることができる。インピーダンスの調整によって発熱を抑えることができるので、発熱を抑えるために新たな回路を搭載する必要がなく、回路の拡張及びコストの上昇を防ぐことができる。
また、中継器との接続時に実際に流れる電流の電流値に応じて特性カーブを変更するため、どのような種類の中継器が接続された場合でも消費電力が小さくなるようにインピーダンスの調整を行うことができ、多種多様な中継器に対応することができる。
【００６０】
上記実施の形態は本発明の好適な一例であり、これに限定されない。本発明の主旨を逸脱しない範囲で適宜変更可能である。
例えば、上記処理手順において、制御部１１が実行していた特性カーブの変更等の処理を、制御部３１により実行するようにしてもよい。
【００６１】
また、制御部１１又は３１が読み取り可能なプログラムのコンピューター読み取り可能な媒体としては、ＲＯＭ、フラッシュメモリー等の不揮発性メモリー、ＣＤ-ＲＯＭ等の可搬型記録媒体を適用することが可能である。また、通信回線を介してプログラムのデータを提供する媒体として、キャリアウエーブ(搬送波)も適用される。
【符号の説明】
【００６２】
１    通信装置
１１    制御部
１２    記憶部
１５    通信部
４０    半導体ＤＡＡ
４１    電流検出部
４２    接続切替部
４３    インピーダンス調整部
５１    ディスクリート回路
５２    トランジスター
Ｌ１、Ｌ２    ライン端子
２    交換機
３    ターミナルアダプター
Ｎ１    電話回線網
Ｎ２    ＩＰ回線網
【図１】
0006375734.tif 000002
【図２】
0006375734.tif 000003
【図３】
0006375734.tif 000004
【図４】
0006375734.tif 000005
【図５】
0006375734.tif 000006
【図６】
0006375734.tif 000007
【図７】
0006375734.tif 000008